(57)【要約】【課題】取引の際に消費電力の削減効果を高める。【解決手段】自動取引装置は、利用者による、取引についての操作を受け付ける操作部と、複数の動作ユニットと、前記複数の動作ユニットの中から、前記操作部によって受け付けた前記操作に応じて選択された一または複数の動作ユニットを動作させることで、前記取引を行う制御部とを備える。前記制御部は、消費電力が通常である通常電力モードと、消費電力が前記通常よりも低い省電力モードとのうちから選択された電力モードでもって、前記選択された動作ユニットの少なくとも一部を動作させる。【選択図】図２
2014052878.tif 000002
【特許請求の範囲】
【請求項１】
自動取引装置であって、
利用者による、取引についての操作を受け付ける操作部と、
複数の動作ユニットと、
前記複数の動作ユニットの中から、前記操作部によって受け付けた前記操作に応じて選択された一または複数の動作ユニットを動作させることで、前記取引を行う制御部と
を備え、
前記制御部は、
消費電力が通常である通常電力モードと、消費電力が前記通常よりも低い省電力モードとのうちから選択された電力モードでもって、前記選択された動作ユニットの少なくとも一部を動作させる、自動取引装置。
【請求項２】
請求項１に記載の自動取引装置であって、
前記選択された動作ユニットの少なくとも一つが、通帳を印字するための通帳機構部であり、
前記制御部は、
前記通帳機構部に対して、前記省電力モードとして、ドットを間引いた印字を実行させる、自動取引装置。
【請求項３】
請求項１または請求項２に記載の自動取引装置であって、
前記選択された動作ユニットの少なくとも一つが、取引の明細票を印字するための明細票機構部であり、
前記制御部は、
前記明細票機構部に対して、前記省電力モードとして、ドットを間引いた印字を実行させる、自動取引装置。
【請求項４】
請求項１から請求項３までのいずれか一項に記載の自動取引装置であって、
前記選択された動作ユニットの少なくとも一つが、現金を搬送する搬送部であり、
前記制御部は、
前記搬送部に対して、前記省電力モードとして、搬送速度を通常電力モードよりも低くした搬送を実行させる、自動取引装置。
【請求項５】
請求項１から請求項４までのいずれか一項に記載の自動取引装置であって、
前記制御部は、さらに、
前記自動取引装置の外側から、前記通常電力モードと前記省電力モードのうちのいずれを選択するかを定めた選択指令を受信し、
前記選択指令に基づいて前記電力モードの選択を行う、自動取引装置。
【請求項６】
請求項１から請求項５までのいずれか一項に記載の自動取引装置であって、
前記制御部は、さらに、
前記取引に必要な案内文を含む表示画面を表示装置に表示させ、
前記省電力モードが選択されているときには、前記省電力モードで動作している旨の文言を前記表示画面に含ませる、自動取引装置。
【請求項７】
請求項６に記載の自動取引装置であって、
前記制御部は、さらに、
前記省電力モードが選択されているときに、前記電力モードを前記省電力モードから前記通常電力モードに切り替えるためのボタンスイッチを、前記表示画面に含ませる、自動取引装置。
【請求項８】
請求項１から請求項４までのいずれか一項に記載の自動取引装置であって、
前記制御部は、さらに、
前記通常電力モードと前記省電力モードのうちのいずれを選択するかの入力を操作者から受け付けるための表示画面を表示させ、
前記表示画面によって受け付けた前記入力に基づいて前記電力モードの選択を行う、自動取引装置。
【請求項９】
取引を行う自動取引装置の制御方法であって、
利用者による、取引についての操作を受け付ける工程と、
複数の動作ユニットの中から、前記受け付けた前記操作に応じて選択された一または複数の動作ユニットを動作させることで、前記取引を行う工程と
を備え、
前記取引を行う工程は、
消費電力が通常である通常電力モードと、消費電力が前記通常よりも低い省電力モードとのうちから選択された電力モードでもって、前記選択された動作ユニットの少なくとも一部を動作させる、自動取引装置の制御方法。
【発明の詳細な説明】
【技術分野】
【０００１】
本発明は、自動取引装置に関する。
【背景技術】
【０００２】
近年、自動取引装置では、消費電力を削減するために省電力モードを有するものがある。例えば、特許文献１には、センサが一定時間、顧客を検知しなかった場合に、動作ユニットに供給する電源を切断する自動取引装置が開示されている。特許文献２には、利用者が自動取引装置で所定の取引を行おうとした場合に、自動取引装置内部で起動不要なユニットがある場合はそのユニットに供給する電力を切断する自動取引装置が開示されている。特許文献１の技術では、取引が行われていないときの消費電力を削減することができ、特許文献２の技術では、所定の取引において、起動が不要な動作ユニットの分だけ消費電力を削減することができる。
【先行技術文献】
【特許文献】
【０００３】
【特許文献１】特開平１０−２５５１０３号公報
【特許文献２】特開２０１１−８５９８３号公報
【発明の概要】
【発明が解決しようとする課題】
【０００４】
しかしながら、特許文献１の技術では、取引の実行時に消費電力は削減されず、特許文献２の技術では、所定の取引が一般的な取引である「引き出し」や「預け入れ」の場合に、起動不要な動作ユニットが少なく、消費電力の削減効果は低かった。すなわち、従来の技術では、取引の際の消費電力の低減については十分に考慮されていなかった。
【０００５】
本発明は、前記の課題を解決するためになされたものであり、取引の際に消費電力の削減効果を高めることを目的とする。
【課題を解決するための手段】
【０００６】
本発明は、上述の課題の少なくとも一部を解決するためになされたものであり、次の形態として実現することが可能である。本発明の一形態によれば、自動取引装置が提供される。この自動取引装置は、利用者による、取引についての操作を受け付ける操作部と、複数の動作ユニットと、前記複数の動作ユニットの中から、前記操作部によって受け付けた前記操作に応じて選択された一または複数の動作ユニットを動作させることで、前記取引を行う制御部とを備える。前記制御部は、消費電力が通常である通常電力モードと、消費電力が前記通常よりも低い省電力モードとのうちから選択された電力モードでもって、前記選択された動作ユニットの少なくとも一部を動作させる。
【発明の効果】
【０００７】
上記形態の自動取引装置によれば、取引の際に動作する動作ユニットが、省電力モードでもって動作可能となる。このために、取引の際に省電力化を図ることができる。特に、取引の際に動作する動作ユニットが省電力モードにて動作することになることから、消費電力の削減効果を高めることができる。
【図面の簡単な説明】
【０００８】
【図１】本発明の第１実施形態における現金自動取引装置（ＡＴＭ）の外観を示す説明図である。
【図２】ＡＴＭの制御構成を示す概略ブロック図である。
【図３】制御部によって実行されるＡＴＭ制御処理の前半部分を示す説明図である。
【図４】制御部によって実行されるＡＴＭ制御処理の後半部分を示す説明図である。
【図５】省電力中通知画面の一例を示す説明図である。
【図６】第２実施形態における取引処理を示すフローチャートである。
【図７】取引選択画面の一例を示す説明図である。
【図８】暗証番号入力画面の一例を示す説明図である。
【図９】出金金額入力画面の一例を示す説明図である。
【図１０】出金待ち画面の一例を示す説明図である。
【図１１】第２実施形態の変形例における出金待ち画面の一例を示す説明図である。
【図１２】第３実施形態におけるＡＴＭ制御処理を示すフローチャートである。
【図１３】動作モード選択画面の一例を示す説明図である。
【発明を実施するための形態】
【０００９】
次に、本発明の実施形態を以下の順序で説明する。
Ａ．第１実施形態：
Ａ−１．全体構成：
Ａ−２．ＡＴＭ制御処理：
Ａ−３．効果：
Ｂ．第２実施形態：
Ｃ．第３実施形態：
Ｄ．変形例：
【００１０】
Ａ．第１実施形態：
Ａ−１．全体構成：
図１は、本発明の第１実施形態における現金自動取引装置の外観を示す説明図である。この現金自動取引装置（以下、「ＡＴＭ」とも呼ぶ）１０は、例えば金融機関や小売店、公共施設等に設置され、顧客（利用者）の操作に基づき現金出納等の取引処理を行う装置である。ＡＴＭ１０は、現金自動預け払い機とも呼ばれる。ＡＴＭ１０は、操作／表示部２０と、カード／明細票機構部３０と、通帳機構部４０と、紙幣入出金機構部５０と、硬貨入出金機構部６０と、顧客検知部７０とを備える。また、ＡＴＭ１０は、その筺体の内部に、制御部１００を備える。
【００１１】
操作／表示部２０は、例えばタッチパネルによって構成され、顧客に対して取引に必要な情報や操作の案内文を表示する表示部として機能するとともに、文字入力や選択ボタン・決定ボタンの押下など、顧客による、取引についての操作を受け付ける操作部としても機能する。なお、現金自動取引装置１０は、顧客インターフェイスとして、操作／表示部２０とともに、顧客に対して取引に関する音声案内を実行する音声案内ガイダンス部を備えるものとしても良い。
【００１２】
カード／明細票機構部３０は、顧客によるキャッシュカードの挿入を受け付けるとともに、顧客に対するキャッシュカードの返却を行い、さらに、カードの磁気ストライプまたはＩＣチップへのリード・ライト処理や、カードエンボス部分のイメージの読取り処理などを行う。また、取引した内容を明細票に印字し、装置内から排出する処理も行う。
【００１３】
通帳機構部４０は、顧客が挿入した通帳の受け取り・排出の処理の他、通帳に形成済みの磁気ストライプの記録内容のリード・ライト処理、通帳への印字処理などを行う。紙幣入出金機構部５０と硬貨入出金機構部６０とはそれぞれ、顧客に対する紙幣または硬貨の受け渡し、および紙幣または硬貨の搬送を行う。
【００１４】
顧客検知部７０は、ＡＴＭ１０の前に利用者が立っているか否かを検知するセンサである。ＡＴＭ１０では、顧客検知部７０によって利用者が検知されると、通常は表示が消えている操作部３の表示を点灯させたりする。
【００１５】
制御部１００は、ＣＰＵと、プログラムやデータを記憶するメモリとを有し、ＣＰＵがメモリに記憶されたプログラムを読み出して実行することにより、ＡＴＭ１０における各種の制御を行う。
【００１６】
図２は、ＡＴＭ１０の制御構成を示す概略ブロック図である。なお、図２の符号（番号）は、図１で説明した各構成部の符号と対応している。ＡＴＭ１０では、制御部１００は、操作／表示部２０と、カード／明細票機構部３０と、通帳機構部４０と、紙幣入出金機構部５０と、硬貨入出金機構部６０と、顧客検知部７０とに信号線を介して接続されている。また、ＡＴＭ１０は、ホストコンピュータ（図示せず）との接続のための回線接続部１１０を備えており、この回線接続部１１０も、制御部１００に信号線を介して接続されている。
【００１７】
制御部１００は、各機構部３０〜６０の中から、操作／表示部２０によって受け付けた操作に応じて選択された一または複数の機構部を、動作させる。また、制御部１００は、電力モード選択・指示部１００ａとしての機能を有する。電力モード選択・指示部１００ａは、通常電力モードと省電力モードとのうちのいずれか一つを選択し、該選択された電力モードでもって、前記選択された各機構部３０〜６０と操作／表示部２０とを動作させる。通常電力モードは、各部２０〜６０を通常の消費電力で動作させる電力モードであり、省電力モードは、各部２０〜６０を通常より低い消費電力で動作させる電力モードである。なお、各機構部３０〜６０は、本発明の形態における「動作ユニット」に該当する。
【００１８】
本実施例では、前記電力モードの選択は、回線接続部１１０を介してホストコンピュータから送られてきた、いずれの電力モードを選択するかの選択指令に従ってなされる。これにより、ＡＴＭ１０の管理者は、ホストコンピュータを操作することで、外部からＡＴＭ１０を省電力モードで動作させることを設定することができる。なお、前記電力モードの選択は、ホストコンピュータからの選択指令に従うものに換えて、ＡＴＭ１０の裏面等に通常電力モードと省電力モードとを切り替えるためのスイッチを設け、そのスイッチからの選択指令に従うものとすることもできる。前記スイッチは、管理者によって操作されるスイッチである。この構成によっても、管理者は、ＡＴＭ１０を省電力モードで動作させることを設定することができる。
【００１９】
Ａ−２．ＡＴＭ制御処理：
図３および図４は、制御部１００によって実行されるＡＴＭ制御処理を示すフローチャートである。このＡＴＭ制御処理は、制御部１００によって実行されるもので、管理者によってＡＴＭ１０の電源スイッチ（図示せず）がオンされたときに実行開始される。なお、ＡＴＭ制御処理を記述したプログラムは、制御部１００に備えられるメモリに記憶されており、メモリから読み出して実行される。
【００２０】
図３に示すように、処理が開始されると、制御部１００は、電源システム（図示せず）からの給電を受けてＡＴＭ１０の電源をオンする処理を行う（ステップＳ１１０）。次いで、制御部１００は、ホストコンピュータから受信した選択指令が「通常電力モード」と「省電力モード」のうちのいずれであるかを判定する（ステップＳ１２０）。
【００２１】
ステップＳ１２０で、「省電力モード」の選択指令と判定された場合には、制御部１００は、ステップＳ１３０に処理を進めて、操作／表示部２０を省電力モードに設定する処理を行う。この設定は、操作／表示部２０に対して、以後の動作を省電力モードで実行するように指示するものである。省電力モードへの切り換えは、操作／表示部２０においては、タッチパネルの輝度を低下させることによって行う。
【００２２】
ステップＳ１３０の実行後、制御部１００は、カード／明細票機構部３０を省電力モードに設定する処理を行う（ステップＳ１３１）。この設定は、カード／明細票機構部３０に対して、以後の動作を省電力モードで実行するように指示するものである。省電力モードへの切り換えは、カード／明細票機構部３０においては、カードを搬送する搬送速度を低下させたり、明細票を搬送する搬送速度を低下させたり、明細票の印字処理においてドットを間引いたり、印字速度を低下させることによって行う。
【００２３】
ステップＳ１３１の実行後、制御部１００は、通帳機構部４０を省電力モードに設定する処理を行う（ステップＳ１３２）。この設定は、通帳機構部４０に対して、以後の動作を省電力モードで実行するように指示するものである。省電力モードへの切り換えは、通帳機構部４０においては、通帳を搬送する搬送速度を低下させたり、通帳の印字処理においてドットを間引いたり、印字速度を低下させることによって行う。
【００２４】
ステップＳ１３２の実行後、制御部１００は、紙幣入出金機構部５０を省電力モードに設定する処理を行う（ステップＳ１３３）。この設定は、紙幣入出金機構部５０に対して、以後の動作を省電力モードで実行するように指示するものである。省電力モードへの切り換えは、紙幣入出金機構部５０においては、紙幣を搬送する搬送速度を通常電力モードよりも低下させることによって行う。
【００２５】
ステップＳ１３３の実行後、制御部１００は、硬貨入出金機構部６０を省電力モードに設定する処理を行う（ステップＳ１３４）。この設定は、硬貨入出金機構部６０に対して、以後の動作を省電力モードで実行するように指示するものである。省電力モードへの切り換えは、硬貨入出金機構部６０においては、硬貨を搬送する搬送速度を通常電力モードよりも低下させることによって行う。
【００２６】
ステップＳ１３４の実行後、制御部１００は、省電力モードであることを示す値１をフラグＦにセットする（ステップＳ１３５）。なお、ステップＳ１３０ないしステップＳ１３５の処理は、必ずしもこの順序で実行する必要はなく、他の順序で実行する構成としてもよい。
【００２７】
一方、ステップＳ１２０で、ホストコンピュータから受信した選択指令が「通常電力モード」であると判定された場合には、制御部１００は、ステップＳ１４０ないしステップＳ１４５の処理を実行する。ステップＳ１４０ないしステップＳ１４４の処理は、操作／表示部２０、カード／明細票機構部３０、通帳機構部４０、および紙幣入出金機構部５０のそれぞれを通常電力モードに設定するものである。すなわち、ステップＳ１４０ないしステップＳ１４４の処理は、ステップＳ１３０ないしＳ１３４の処理において、設定する電力モードを省電力モードに換えて通常電力モードとした処理である。ステップＳ１４５の処理は、通常電力モードであることを示す値０をフラグＦにセットする処理である。ステップＳ１４５またはステップＳ１３５の実行後、制御部１００は、図４のステップＳ１５０に処理を進める。
【００２８】
ステップＳ１５０では、制御部１００は、顧客検知部７０がオフからオンに切り替わったか、すなわち、ＡＴＭ１０の前に利用者が立ったか否かを判定する。ここで、オフからオンに切り替わったときでないと判定されると、ステップＳ１５０の処理を繰り返し実行して、ＡＴＭ１０の前に利用者が立つのを待つ。
【００２９】
一方、ステップＳ１５０で、ＡＴＭ１０の前に利用者が立ったと判定されると、制御部１００は、ステップＳ１６０に処理を移行する。ステップＳ１６０では、制御部１００は、フラグＦが値１であるか否かを判定する。ここで、フラグＦが省電力モードであることを示す値１であると判定された場合には、操作／表示部２０に省電力中通知画面を表示させる処理を行う（ステップＳ１７０）。
【００３０】
図５は、省電力中通知画面Ｗ１の一例を示す説明図である。図示するように、省電力中通知画面Ｗ１には、「ただいま省電力モードで動作中です。動作が通常より遅くなることがありますがご了承ください。ご協力ありがとうございます。」との案内文が含まれる。図４のステップＳ１７０の結果、図４に示す省電力中通知画面Ｗ１が、操作／表示部２０に表示される。
【００３１】
ステップＳ１７０実行後、制御部１００は、ステップＳ１８０に処理を移行して、取引処理を開始する。取引処理は、操作／表示部２０に取引選択用の画面を表示し、その画面から顧客によって入力された取引の種類に基づくものである。取引の種類としては、出金処理、預入処理、振込処理、通帳記入処理、残高照会処理等がある。そして、この取引処理では、取引の種類によって、動作する動作ユニット、すなわち機構部が異なってくる。例えば、出金処理の場合、図２に示した機構部３０〜６０の中の全て、すなわち、カード／明細票機構部３０、通帳機構部４０、紙幣入出金機構部５０、および硬貨入出金機構部６０が動作する。なお、利用者が通帳を携帯してない場合は通帳機構部４０が不要となり、硬貨の入出金がない場合は硬貨入出金機構部６０が不要となるとように、適宜動作する機構部は変化し得る。振込処理、通帳記入処理、または残高照会処理の場合、カード／明細票機構部３０および通帳機構部４０が動作する。
【００３２】
その上、前記動作するとした各機構部３０〜６０と、操作／表示部２０とは、ステップＳ１４０ないしステップＳ１４４によって通常電力モードへの設定がなされた場合、通常電力モードで動作し、ステップＳ１３０ないしステップＳ１３４によって省電力モードへの設定がなされた場合、省電力モードで動作する。操作／表示部２０は、取引の種類がいずれの場合にも取引の際には動作することから、このステップＳ１８０では、ステップＳ１３０ないしステップＳ１３４、またはステップＳ１４０ないしステップＳ１４４で選択された電力モードで操作／表示部２０も動作させる。
【００３３】
ステップＳ１８０の取引処理が終了すると、制御部１００は、顧客検知部７０がオンからオフに切り替わったか、すなわち、ＡＴＭ１０の前から利用者が去ったか否かを判定する（ステップＳ１９０）。ここで、オンからオフに切り替わったときでないと判定されると、制御部１００は、ステップＳ１８０に処理を戻して次の取引処理を行う。一方、ステップＳ１９０で、顧客検知部７０がオンからオフに切り替わって利用者が去ったことが検知されると、制御部１００は、ステップＳ１５０に処理を戻す。
【００３４】
Ａ−３．効果：
以上のように構成された第１実施形態のＡＴＭ１０によれば、取引の際に動作する機構部が、ホストコンピュータから送られてきた選択指令に従って省電力モードでもって動作可能となる。例えば、出金処理の場合、カード／明細票機構部３０、通帳機構部４０、紙幣入出金機構部５０、および硬貨入出金機構部６０が省電力モードでもって動作可能となる。このために、取引の際に省電力化を図ることができる。特に、取引の際に動作する全ての動作ユニットが省電力モードにて動作することになることから、消費電力の削減効果を高めることができる。
【００３５】
また、通常電力モードか省電力モードかの選択は、ホストコンピュータから指示することができることから、切り換えの操作性に優れている。例えば、電力会社からの供給電力が十分でない場合にも、多数のＡＴＭを簡単な操作で一斉に省電力モードに切り替えることができることから、ＡＴＭの消費電力削減に大きな効果を期待できる。
【００３６】
さらに、本実施形態では、通帳機構部４０においては、省電力モードとして、ドットを間引いた印字を行う構成としているが、これにより、通帳機構部４０を使用する取引の際に、消費電力を十分に低減することができる。また、カード／明細票機構部３０においては、省電力モードとして、ドットを間引いた印字を行う構成としているが、これにより、カード／明細票機構部３０を使用する取引の際に、消費電力を十分に低減することができる。また、紙幣入出金機構部５０においては、省電力モードとして、紙幣の搬送速度を通常電力モードより低くする構成としているが、これにより、紙幣入出金機構部５０を使用する取引の際に、消費電力を十分に低減することができる。また、硬貨入出金機構部６０においては、省電力モードとして、効果の搬送速度を通常電力モードより低くする構成としているが、これにより、硬貨入出金機構部６０を使用する取引の際に、消費電力を十分に低減することができる。
【００３７】
さらにまた、本実施形態では、取引が省電力モードで動作する際には、省電力モードで動作している旨の文言を含む案内文を操作／表示部２０に表示させていることから、取引が省電力モードで行われていることを顧客に知らせることができる。本実施形態では、できるかぎり消費電力を低減させるため、前記のように処理速度を遅くしたり、搬送速度を遅くしたり、印字間引きを行ったりすることで、顧客に通常電力モード時の取引と比較して違和感を与えるが、前記のように省電力モードであることを報知することで、違和感の解消を図ることができる。
【００３８】
Ｂ．第２実施形態：
次に本発明の第２実施形態について説明する。第２実施形態におけるＡＴＭは、第１実施形態のＡＴＭ１０と比較して、同一のハードウェア構成を備え、ソフトウェアについてもほぼ同じ構成を備える。すなわち、第２実施形態におけるＡＴＭは、図３および図４とほぼ同一のＡＴＭ制御処理を実行する。第１実施形態と相違するのは、ステップＳ１８０で実行される取引処理の構成が相違する。第１実施形態では、取引処理はステップＳ１３０ないしＳ１３４、またはステップＳ１４０ないしＳ１４４で初期設定された電力モードで実行され、その変更は不可であった。これに対して、第２実施形態では、初期設定された電力モードが省電力モードである場合に、顧客が、取引処理の途中で通常モードに切り換え可能とした。顧客はさまざまな事情によって、省電力モードで処理速度が低下していることに不満を持つことがあり、こうした顧客の要求に応えるのがこの第２実施形態である。
【００３９】
図６は、第２実施形態における取引処理を示すフローチャートである。この取引処理は、図４のステップＳ１８０で実行されるものである。取引処理では、操作／表示部２０に操作の案内文を含む表示画面を順次、表示しながら、顧客から取引についての操作（情報の入力等）を受け付ける。図７から図１０に、一般的な取引である出金処理において表示される表示画面を示した。図７は取引の種類を選択するための取引選択画面Ｗ２であり、図８は暗証番号を入力するための暗証番号入力画面Ｗ３であり、図９は出金金額を入力するための出金金額入力画面Ｗ４であり、図１０は出金の処理中であることを示す出金待ち画面Ｗ５である。出金処理では、図７から図１０までの表示画面がこの順で表示される。
【００４０】
図６に示す取引処理において、処理が開始されると、制御部１００は、まず、図７に示した取引選択画面Ｗ２を表示する（ステップＳ２１０）。図７に示すように、この取引選択画面Ｗ２には、「ただいま省電力モードです。通常モードに変更する場合は右上のボタンを押下ください」との案内文と共に［通常モードに変更］ボタンＢＴ１が設けられている。操作者（顧客）は、電力モードを省電力モードから通常モードに変更したい場合に、［通常モードに変更］ボタンＢＴ１を押下し、その後、取引の種類を選択するための取引選択用ボタンＢＴ２を押下する。
【００４１】
図６に戻って、ステップＳ２１０で取引選択画面Ｗ２を表示した後、制御部１００は、［通常モードに変更］ボタンＢＴ１が押下されたか否かを判定する（ステップＳ２２０）。ここで、押下されたと判定された場合には、各部２０〜５０を通常電力モードに設定する処理を行う（ステップＳ２３０）。このステップＳ２３０の処理は、第１実施形態におけるステップＳ１４０ないしＳ１４４（図３）と同一の処理である。ステップＳ２２０で［通常モードに変更］ボタンＢＴ１は押下されていないと判定されたとき、またはステップＳ２３０の実行後、制御部１００は、ステップＳ２４０に処理を移行して、取引の種類がいずれかを判定し、その判定結果に応じた分岐先に処理を移行する。ここでは、［お引き出し］の取引選択用ボタンＢＴ２が押下されて出金処理が選択されたものとして、以下の説明を行う。
【００４２】
出金処理が選択されると、制御部１００は、ステップＳ２５０に処理を移行して、図８に示した暗証番号入力画面Ｗ３を表示する（ステップＳ２５０）。暗証番号入力画面Ｗ３は、電力モードが現在、省電力モードに設定されているか否かによって表示内容が異なる。図８に示した暗証番号入力画面Ｗ３は、電力モードが省電力モードに設定されている場合のもので、「ただいま省電力モードです。通常モードに変更する場合は右上のボタンを押下ください」との案内文と共に［通常モードに変更］ボタンＢＴ１が設けられている。操作者（顧客）は、［通常モードに変更］ボタンＢＴ１を押下することで、電力モードを通常モードに変更することができる。なお、電力モードが通常電力モードに既に変更されている場合には、暗証番号入力画面Ｗ３において、前記案内文と［通常モードに変更］ボタンＢＴ１が消えた表示内容となる。
【００４３】
図６に示すように、制御部１００は、ステップＳ２５０で暗証番号入力画面Ｗ３を表示した後に、［通常モードに変更］ボタンＢＴ１が押下されたか否かを判定する（ステップＳ２６０）。ここで、押下されたと判定された場合に、第１実施形態におけるステップＳ１４０ないしＳ１４４（図３）と同様に、各部２０〜５０を通常電力モードに設定する処理を行う（ステップＳ２７０）。ステップＳ２６０で［通常モードに変更］ボタンＢＴ１は押下されていないと判定されたとき、またはステップＳ２７０の実行後、制御部１００は、ステップＳ２８０に処理を移行して、操作者によって暗証番号入力画面Ｗ３から入力された暗証番号を取得する。
【００４４】
その後、制御部１００は、図９に示した出金金額入力画面Ｗ４を表示する（ステップＳ２９０）。出金金額入力画面Ｗ４は、電力モードが現在、省電力モードに設定されているか否かによって表示内容が異なる。図９に示した出金金額入力画面Ｗ４は、電力モードが省電力モードに設定されている場合のもので、「ただいま省電力モードです。通常モードに変更する場合は右上のボタンを押下ください」との案内文と共に［通常モードに変更］ボタンＢＴ１が設けられている。操作者（顧客）は、［通常モードに変更］ボタンＢＴを押下することで、電力モードを通常モードに変更することができる。なお、電力モードが通常電力モードに既に変更されている場合には、出金金額入力画面Ｗ４において、前記案内文と［通常モードに変更］ボタンＢＴ１が消えた表示内容となる。
【００４５】
図６に示すように、制御部１００は、ステップＳ２９０で出金金額入力画面Ｗ４を表示した後に、［通常モードに変更］ボタンＢＴ１が押下されたか否かを判定する（ステップＳ３００）。ここで、押下されたと判定された場合に、第１実施形態におけるステップＳ１４０ないしＳ１４４（図３）と同様に、各部２０〜５０を通常電力モードに設定する処理を行う（ステップＳ３１０）。ステップＳ３００で［通常モードに変更］ボタンＢＴ１は押下されていないと判定されたとき、またはステップＳ３１０の実行後、制御部１００は、ステップＳ３２０に処理を移行して、操作者によって出金金額入力画面Ｗ４から入力された出金金額を取得する。
【００４６】
その後、制御部１００は、図１０に示した出金待ち画面Ｗ５を表示する（ステップＳ３３０）。出金待ち画面Ｗ５は、電力モードが現在、省電力モードに設定されているか否かによって表示内容が異なる。図１０に示した出金待ち画面Ｗ５は、電力モードが省電力モードに設定されている場合のもので、「ただいま省電力モードで出金中です。ご協力ありがとうございます。通常モードに変更する場合は右上のボタンを押下ください」との案内文と共に［通常モードに変更］ボタンＢＴ１が設けられている。操作者（顧客）は、［通常モードに変更］ボタンＢＴを押下することで、電力モードを通常モードに変更することができる。なお、電力モードが通常電力モードに既に変更されている場合には、出金待ち画面Ｗ５において、前記案内文と［通常モードに変更］ボタンＢＴ１が消えた表示内容となる。
【００４７】
図６に示すように、制御部１００は、ステップＳ３３０で出金待ち画面Ｗ５を表示した後に、［通常モードに変更］ボタンＢＴ１が押下されたか否かを判定する（ステップＳ３４０）。ここで、押下されたと判定された場合に、第１実施形態におけるステップＳ１４０ないしＳ１４４（図３）と同様に、各部２０〜５０を通常電力モードに設定する処理を行う（ステップＳ３５０）。ステップＳ３４０で［通常モードに変更］ボタンＢＴ１は押下されていないと判定されたとき、またはステップＳ３５０の実行後、制御部１００は、ステップＳ３６０に処理を移行して、現金を引き出す出金処理を実行する。
【００４８】
ステップＳ３６０の処理は、ステップＳ２４０で判定された取引の種類に応じた取引処理を実行するもので、ここでは出金処理が実行される。ここでの取引処理は、第１実施形態のステップＳ１８０で説明したように、ＡＴＭ１０が備える機構部３０〜６０（図２）の中から、ステップＳ２４０で判定された取引の種類に応じて選択された機構部を、現在設定されている電力モードで実行させることにより行われる。ステップＳ２４０で算出した取引の種類が「出金処理」である場合、前記選択される機構部は、機構部３０〜６０の中の全て、すなわち、カード／明細票機構部３０、通帳機構部４０、紙幣入出金機構部５０、および硬貨入出金機構部６０である。なお、利用者が通帳を携帯してない場合は通帳機構部４０が不要となり、硬貨の入出金がない場合は硬貨入出金機構部６０が不要となるとように、適宜選択される機構部は変化し得る。ステップＳ３５０の実行後、制御部１００は、「リターン」に抜けて、この取引処理を一旦終了する。
【００４９】
なお、ステップＳ２４０で分岐した後のステップＳ２５０ないしＳ３６０は、取引処理が出金処理の場合についてのものであるが、フローチャートには図示しないが、ステップＳ２４０で出金処理以外の他の取引処理に分岐した場合にも、同様の処理が行われる。すなわち、預入処理、振込処理、通帳記入処理、残高照会処理等においても、取引の各段階で表示される表示画面に［通常モードに変更］ボタンを設けて、省電力モードから通常電力モードへの切り換えが可能な構成となっている。
【００５０】
以上のように構成された第２実施形態のＡＴＭによれば、第１実施形態と同様に、取引の際に省電力化を図ることができ、特に消費電力の削減効果が高いという効果を奏する。さらに、この第２実施形態では、初期設定された電力モードが省電力モードである場合に、取引の途中で表示される表示画面に、［通常モードに変更］ボタンＢＴ１が設けられる構成としたことから、顧客が、取引処理の途中で通常モードに切り換えることができる。このために、電力モードの切り換えを顧客の要求に応えることができるという効果も奏する。
【００５１】
前記第２実施形態における変形例を次に説明する。第２実施形態では、電力モードが通常電力モードに設定されている場合に、出金待ち画面Ｗ５は［通常モードに変更］ボタンＢＴ１を備えない構成としたが、これに換えて、この変形例の出金待ち画面Ｗ５′は図１１に示す通りとした。すなわち、出金待ち画面Ｗ５′は、「省電力モードに変更する場合は右上のボタンを押下ください」との案内文と共に［省電力モードに変更］ボタンＢＴ３を備えている。なお、案内文には「処理が遅くなることが有ります」といった文言も入れることが好ましい。かかる出金待ち画面Ｗ５′を用いる変形例によれば、操作者は、一旦、省電力モードから通常電力モードに切り替えた後に、再度、省電力モードに戻すことが可能となる。なお、取引選択画面Ｗ２、暗証番号入力画面Ｗ３、および出金金額入力画面Ｗ４についても同様に、電力モードが通常電力モードに設定されている場合に、［省電力モードに変更］ボタンＢＴ３を備える構成としてもよい。
【００５２】
Ｃ．第３実施形態：
次に本発明の第３実施形態について説明する。第３実施形態におけるＡＴＭは、第１実施形態のＡＴＭ１０と比較して、同一のハードウェア構成を備え、ソフトウェアであるＡＴＭ制御処理が相違する。なお、第１実施形態と同一のハードウェアの構成要素については、第１実施形態と同一の符合を付して以下の説明を行う。
【００５３】
図１２は、第３実施形態におけるＡＴＭ制御処理を示すフローチャートである。このＡＴＭ制御処理は、第１実施形態と同様に、制御部１００によって実行されるもので、管理者によってＡＴＭの電源スイッチがオンされたときに実行開始される。図示するように、処理が開始されると、制御部１００は、電源システムからの給電を受けてＡＴＭの電源をオンする処理を行う（ステップＳ４１０）。次いで、制御部は、顧客検知部７０がオフからオンに切り替わったか、すなわち、ＡＴＭ１０の前に利用者が立ったか否かを判定する（ステップＳ４２０）。ステップＳ４１０およびステップＳ４２０は、第１実施形態におけるステップＳ１１０（図３）およびステップＳ１５０（図４）と同一である。
【００５４】
ステップＳ４２０でオフからオンに切り替わったときでないと判定されると、ステップＳ４２０の処理を繰り返し実行して、ＡＴＭの前に利用者が立つのを待つ。一方、ステップＳ４２０で、ＡＴＭ１０の前に利用者が立ったと判定されると、制御部１００は、ステップＳ４３０に処理を移行する。ステップＳ４３０では、制御部１００は、動作モードを選択するための動作モード選択画面を操作／表示部２０に表示させる（ステップＳ４３０）。
【００５５】
図１３は、動作モード選択画面Ｗ６の一例を示す説明図である。図示するように、動作モード選択画面Ｗ６には、「消費電力低減のため省電力モードで動作します。省電力モード時は動作が遅くなります。よろしいですか？」との案内文と、省電力モードを選択指定するためのボタンＢＴ４と、通常電力モードを選択指定するためのボタンＢＴ５とが設けられている。操作者は、この動作モード選択画面Ｗ６を見て、いずれかのボタンＢＴ４，ＢＴ５を押下することで、通常電力モードと省電力モードのうちのいずれを選択するかを制御部１００に対して指示することができる。
【００５６】
図１２に戻って、制御部１００は、ステップＳ４４０で、操作者によるその選択指示が「省電力モード」と「省電力モード」のうちのいずれであるかを判定し、「省電力モード」であると判定された場合には、各部２０〜５０を省電力モードに設定する処理を行う（ステップＳ４５０）。このステップＳ４５０の処理は、第１実施形態におけるステップＳ１３０ないしＳ１３４（図３）と同一の処理である。一方、ステップＳ４４０で「通常電力モード」であると判定された場合には、各部２０〜５０を通常電力モードに設定する処理を行う（ステップＳ４６０）。このステップＳ４６０の処理は、第１実施形態におけるステップＳ１４０ないしＳ１４４（図３）と同一の処理である。
【００５７】
ステップＳ４５０またはステップＳ４６０の実行後、制御部１００は、ステップＳ４７０に処理を移行して、取引処理を開始する。その後、ステップＳ４７０の取引処理が終了すると、制御部１００は、顧客検知部７０がオンからオフに切り替わったか、すなわち、ＡＴＭの前から利用者が去ったか否かを判定する（ステップＳ４８０）。ここで、オンからオフに切り替わったときでないと判定されると、制御部１００は、ステップＳ４７０に処理を戻して次の取引処理を行う。一方、ステップＳ４８０で、顧客検知部７０がオンからオフに切り替わって利用者が去ったことが検知されると、制御部１００は、ステップＳ４２０に処理を戻す。
【００５８】
以上のように構成された第３実施形態のＡＴＭによれば、取引の際に動作する機構部が、取引の開始に先だって表示される動作モード選択画面Ｗ６から指定された選択指示に従って、省電力モードでもって動作可能となる。このために、第１および第２実施形態と同様に、取引の際に省電力化を図ることができ、特に消費電力の削減効果が高いという効果を奏する。さらに、この第３実施形態では、顧客が動作モード選択画面Ｗ６を操作することによって電力モードの切り換えを指示することができることから、電力モードの切り換えを顧客の要求に応えることができるという効果を奏する。
【００５９】
なお、この第３実施形態の変形例として、第１実施形態に対する第２実施形態と同様に、第３実施形態に対して第２実施形態の構成を付加する構成としてもよい。この変形例によれば、取引処理の途中で電力モードの切り換えを容易に行うことができる。さらに、第３実施形態に対して第２実施形態の変形例の構成を付加する構成とすることもできる。
【００６０】
Ｄ．変形例：
この発明は前記第１〜第３実施形態やその変形例に限られるものではなく、その要旨を逸脱しない範囲において種々の態様において実施することが可能であり、例えば、次のような変形も可能である。
【００６１】
・変形例１：
前記各実施形態では、省電力モードとする選択指令があった場合に、取引の際に動作する機構部３０〜６０に加えて操作／表示部２０も省電力モードで動作する構成としたが、本発明ではこれに限られない。取引の際に動作する機構部３０〜６０だけが省電力モードで動作する構成としてもよい。また、取引の際に動作する機構部３０〜６０に加えて、操作／表示部２０と制御部１００が省電力モードで動作する構成としてもよい。制御部１００における省電力モードへの切り換えは、制御部１００が備えるＣＰＵのクロック周波数を高くすることによって処理速度を高めることによって行う。
【００６２】
・変形例２：
前記各実施形態では、所定の取引の際に、その所定の取引の際に動作する全ての動作ユニットが省電力モードにて動作する構成としたが、これに換えて、その所定の取引の際に動作する全ての動作ユニットのうちの少なくとも一部（＝少なくとも一動作ユニット）とすることもできる。例えば、出金処理の際に、通帳機構部４０だけを省電力モードとすることができる構成としてもよい。
【００６３】
・変形例３：
前記各実施形態では、取引が省電力モードで行われていることを顧客に知らせる手段を、表示画面に文言を含ませる構成としたが、これに換えて、音声にて省電力モードで動作している旨を知らせる構成としてもよい。
【００６４】
本発明は、特許請求の範囲に記載した形態以外の種々の形態で実現することも可能であり、例えば、自動取引装置を含む取引処理システム、自動取引装置の制御方法に含まれる各工程を機能として実現するコンピュータープログラムとしての形態、このコンピュータープログラムやこのコンピュータープログラムを記録した印刷媒体等の形態等で実現することが可能である。
【００６５】
なお、前述した各実施例および各変形例における構成要素の中の、独立請求項で記載された要素以外の要素は、付加的な要素であり、適宜省略可能である。
【符号の説明】
【００６６】
１０…現金自動取引装置（ＡＴＭ）
２０…操作／表示部
３０…カード／明細票機構部
４０…通帳機構部
５０…紙幣入出金機構部
６０…硬貨入出金機構部
７０…顧客検知部
１００…制御部
１００ａ…電力モード選択・指示部
１１０…回線接続部
Ｗ１…省電力中通知画面
Ｗ２…取引選択画面
Ｗ３…暗証番号入力画面
Ｗ４…出金金額入力画面
Ｗ５…出金待ち画面
Ｗ６…動作モード選択画面
ＢＴ…ボタン
ＢＴ１…［通常モードに変更］ボタン
ＢＴ２…取引選択用ボタン
ＢＴ３…［省電力モードに変更］
ＢＴ４…省電力モード選択指定用のボタン
ＢＴ５…通常電力モード選択指定用のボタン
【図１】
2014052878.tif 000003
【図２】
2014052878.tif 000004
【図３】
2014052878.tif 000005
【図４】
2014052878.tif 000006
【図５】
2014052878.tif 000007
【図６】
2014052878.tif 000008
【図７】
2014052878.tif 000009
【図８】
2014052878.tif 000010
【図９】
2014052878.tif 000011
【図１０】
2014052878.tif 000012
【図１１】
2014052878.tif 000013
【図１２】
2014052878.tif 000014
【図１３】
2014052878.tif 000015